(57)【要約】【課題】イベント等の来場者管理に用いられる場合に処理を煩雑にすることなく、かつ、コスト低減を図る。【解決手段】互いに所定の間隔を有する２つのランド部１２ａ，１２ｂが内部に形成されるとともに、ランド部１２ａ，１２ｂを跨ぐようにＩＣチップ１１が接続されて内蔵された名札１０と、ＩＣチップ１１に対して非接触状態にて情報の書き込み及び読み出しを行うためのアンテナ２２が形成されるとともに、名札１０が収納可能に構成されたポケット２１を具備し、名札１０がポケット２１に収納された場合にランド部１２ａ，１２ｂと対向する領域に、アンテナ２２の両端に接続されたランド部２３ａ，２３ｂが形成されたケース２０とからなる。【選択図】  図１
2004295770.tif 000002
【特許請求の範囲】
【請求項１】
コイル状のアンテナと、該アンテナを介して非接触状態にて情報の書き込み及び読み出しが可能なＩＣチップとを少なくとも有してなる非接触型情報記録媒体において、
互いに所定の間隔を有する２つの第１の導電領域が内部に形成されるとともに、前記ＩＣチップが前記２つの第１の導電領域に接続されて内蔵された第１の基材と、
前記アンテナが形成されるとともに、前記第１の基材が収納可能に構成された収納領域を具備し、前記第１の基材が前記収納領域に収納された場合に前記第１の導電領域と対向する領域に、前記アンテナの両端に接続された第２の導電領域が形成された第２の基材とを有し、
前記第１の基材が前記収納領域に収納された場合に、前記アンテナと前記ＩＣチップとが、少なくとも前記第１の基材によって所定の静電容量を有して前記第１の導電領域及び前記第２の導電領域を介して結合することを特徴とする非接触型情報記録媒体。
【請求項２】
請求項１に記載の非接触型情報記録媒体において、
前記第２の基材は、前記収納領域の少なくとも一方の面が該収納領域の内部が外部から視認可能なるように構成されていることを特徴とする非接触型情報記録媒体。
【発明の詳細な説明】
【０００１】
【発明の属する技術分野】
本発明は、非接触状態にて情報の書き込み及び読み出しが可能な非接触型情報記録媒体に関する。
【０００２】
【従来の技術】
近年、情報化社会の進展に伴って、情報をカードに記録し、該カードを用いた情報管理や決済等が行われている。
【０００３】
このような情報管理や決済等に用いられるカードは、ＩＣチップが内蔵されたＩＣカードや、磁気により情報が書き込まれた磁気カード等があり、専用の装置を用いて情報の書き込み及び読み出しが行われる。
【０００４】
さらに、ＩＣカードにおいては、情報の書き込み及び読み出しを専用の装置に接触させることにより行う接触型ＩＣカードと、専用の装置に近接させるだけで情報の書き込み及び読み出しを行うことができる非接触型ＩＣカードがある。これらのＩＣカードは、磁気カードと比較してセキュリティ性が高いとともに書き込み可能な情報量が多く、また、１枚のカードを多目的に使用できるため、市場における普及度は増加の一途を辿っている。また、その中でも、非接触型ＩＣカードにおいては、情報の書き込みあるいは読み出しを行う際、カードを取り出して専用の装置に挿入したりする必要がなく取り扱いに便利なため、そのカード及び該カードに書き込まれた情報を読み取るための装置の急速な普及が進みつつある。
【０００５】
図３は、従来の非接触型ＩＣカードの構造の一例を示す図であり、（ａ）は内部構造を示す図、（ｂ）は断面図である。
【０００６】
本従来例における非接触型ＩＣカードは図３に示すように、樹脂シート５１５上に、外部からの情報の書き込み及び読み出しが可能なＩＣチップ５１１が搭載されるとともに、ＩＣチップ５１１の接続端子５１２を介してＩＣチップ５１１と接続され、外部に設けられた情報書込／読出装置（不図示）からの電磁誘導によりＩＣチップ５１１に電流を供給し、ＩＣチップ５１１に対する情報の書き込み及び読み出しを非接触状態にて行うための導電性のコイル形状からなるアンテナ５１２が形成されたインレット５１０が、コア材５２０ａ，５２０ｂ及び表面シート５３０ａ，５３０ｂに挟まれるようにこれらが積層されて構成されている。なお、ＩＣチップ５１１は、接続端子５１２によってアンテナ５１２と接続された状態で、接着剤５１６によって樹脂シート５１５に接着されている。
【０００７】
上記のように構成された非接触型ＩＣカードにおいては、外部に設けられた情報書込／読出装置に近接させることにより、情報書込／読出装置からの電磁誘導によりコイル形状のアンテナ５１２に電流が流れ、その電流がアンテナ５１２からＩＣチップ５１１に供給され、それにより、非接触状態において、情報書込／読出装置からＩＣチップ５１１に情報が書き込まれたり、ＩＣチップ５１１に書き込まれた情報が情報書込／読出装置にて読み出されたりする。
【０００８】
上述したような非接触状態にて情報の書き込み及び読み出しが可能な非接触型ＩＣカードにおいては、利用されるアプリケーション毎にそのアプリケーションにて用いられる情報を予め書き込んでおけば、利用者は、所望のアプリケーションに用いられる情報が書き込まれたカードを用いて所望のアプリケーションを利用することができる。このため、このような非接触型ＩＣカードは、例えば、イベント等における来場者管理等に用いられている。
【０００９】
図３に示したような非接触型ＩＣカードを用いてイベント等の来場者管理を行う場合は、来場予定者を識別可能な情報が書き込まれた非接触型ＩＣカードを予め来場予定者に送付しておき、来場予定者がこの非接触型ＩＣカードを持参してイベント会場に来場した際に、受付において、非接触型ＩＣカードに書き込まれた情報を読み出すことにより、来場予定者が来場しているかどうか等を管理する。
【００１０】
また、受付のみならず、イベント会場内のブース毎に、非接触型ＩＣカードに対する情報の書き込み及び読み出しが可能な情報書込／読出装置を設けておき、この情報書込／読出装置によって、ブースに入退室する来場者が携帯する非接触型ＩＣカードに書き込まれた情報を読み出すことにより、来場者が現在どのブースに入室しているかを認識することも可能である。
【００１１】
ここで、図３に示したような非接触型ＩＣカードをイベント等の来場者管理に用いるためには、図３に示したような非接触型ＩＣカードを来場予定者全員に予め送付しておく必要があるが、来場予定者が非常に多い場合、過剰なコスト負担が生じてしまう。また、非接触型ＩＣカードを送付した来場予定者の中でもイベント会場に来場しない者がいる可能性があり、その場合、イベント会場に来場しなかった者に送付した非接触型ＩＣカードが無駄となり、無駄なコストが発生してしまう。
【００１２】
そこで、名刺や名札を収納可能なカードホルダに、情報の書き込み及び読み出しが可能な記憶素子を内蔵したものが考えられている。
【００１３】
このカードホルダを用いてイベント等における来場者管理を行う場合は、来場者がイベント会場に来場した際、受付にて来場者にカードホルダを渡し、カードホルダに来場者の名刺や名札を収納するとともに、カードホルダに内蔵された記憶素子に来場者を識別可能な情報を書き込む。その後、来場者が、自分の名刺や名札が収納されたカードホルダを携帯し、イベント会場内のブースにおいて、ブースに設けられた情報書込／読出装置によって、ブースに入退室する来場者が携帯するカードホルダに内蔵された記憶素子に書き込まれた情報を読み出すことにより、来場者が現在どのブースに入室しているかを認識する。その後、カードホルダは、イベント会場の出口で回収され再利用される（例えば、特許文献１参照。）。
【００１４】
【特許文献１】
特開平１０−２４０８８６号公報
【００１５】
【発明が解決しようとする課題】
しかしながら、上述したようなカードホルダにおいては、来場者管理に用いられる場合、来場者管理を行うイベント会場の受付等において、来場者を識別可能な情報をカードホルダに内蔵された記憶素子に書き込む必要があるため、受付等における処理が煩雑になってしまい、特に、イベント等への来場者数が多い場合、受付が混雑してしまい、来場者がイベント会場へスムーズに入場できなくなってしまうという問題点がある。
【００１６】
本発明は、上述したような従来の技術が有する問題点に鑑みてなされたものであって、イベント等の来場者管理に用いられる場合に処理を煩雑にすることなく、かつ、コスト低減を図ることができる非接触型情報記録媒体を提供することを目的とする。
【００１７】
【課題を解決するための手段】
上記目的を達成するために本発明は、
コイル状のアンテナと、該アンテナを介して非接触状態にて情報の書き込み及び読み出しが可能なＩＣチップとを少なくとも有してなる非接触型情報記録媒体において、
互いに所定の間隔を有する２つの第１の導電領域が内部に形成されるとともに、前記ＩＣチップが前記２つの第１の導電領域に接続されて内蔵された第１の基材と、
前記アンテナが形成されるとともに、前記第１の基材が収納可能に構成された収納領域を具備し、前記第１の基材が前記収納領域に収納された場合に前記第１の導電領域と対向する領域に、前記アンテナの両端に接続された第２の導電領域が形成された第２の基材とを有し、
前記第１の基材が前記収納領域に収納された場合に、前記アンテナと前記ＩＣチップとが、少なくとも前記第１の基材によって所定の静電容量を有して前記第１の導電領域及び前記第２の導電領域を介して結合することを特徴とする。
【００１８】
また、前記第２の基材は、前記収納領域の少なくとも一方の面が該収納領域の内部が外部から視認可能なるように構成されていることを特徴とする。
【００１９】
（作用）
上記のように構成された本発明においては、互いに所定の間隔を有する２つの第１の導電領域が内部に形成されるとともに、非接触状態にて情報の書き込み及び読み出しが可能なＩＣチップが２つの第１の導電領域に接続されて内蔵された第１の基材を、第２の基材に設けられた収納領域に収納すると、第１の基材に形成された第１の導電領域が、第２の基材においてコイル状のアンテナの両端に接続されて設けられた第２の導電領域と対向するようになる。これにより、アンテナとＩＣチップとが、少なくとも第１の基材によって所定の静電容量を有して第１の導電領域及び第２の導電領域を介して結合することになるので、この状態で外部に設けられた情報書込／読出装置に近接させると、情報書込／読出装置からの電磁誘導によりコイル状のアンテナに電流が流れ、その電流がアンテナから第１及び第２の導電領域を介してＩＣチップに供給され、それにより、非接触状態において、情報書込／読出装置からＩＣチップに情報が書き込まれたり、ＩＣチップに書き込まれた情報が情報書込／読出装置にて読み出されたりする。
【００２０】
また、第２の基材に設けられた収納領域の少なくとも一方の面が該収納領域の内部が外部から視認可能なるように構成されていれば、収納領域に第１の基材が収納された場合に第１の基材に記載された情報が外部から視認可能となる。
【００２１】
【発明の実施の形態】
以下に、本発明の実施の形態について図面を参照して説明する。
【００２２】
図１は、本発明の非接触型情報記録媒体の実施の一形態を示す図であり、（ａ）は外観図、（ｂ）は（ａ）に示したケース２０の構造を示す図、（ｃ）は（ｂ）に示したＡ−Ａ’断面図、（ｄ）は（ａ）に示した名札１０の構造を示す図、（ｅ）は（ｄ）に示したＢ−Ｂ’断面図である。また、図２は、図１に示したケース２０に名札１０を収納した場合の作用を説明するための図であり（ａ）はケース２０に名札１０が収納された場合の内部構造を示す図、（ｂ）は（ａ）に示したＣ−Ｃ’断面図である。
【００２３】
本形態は図１に示すように、クリップ３０が取り付けられた第２の基材であるケース２０に、来場者の氏名等が記載された第１の基材である名札１０が収納されて構成されている。
【００２４】
ケース２０には名札１０を収納するための収納領域であるポケット２１が設けられており、ポケット２１内にはコイル状のアンテナ２２が形成されており、アンテナ２２の両端には所定の面積を有する第２の導電領域であるランド部２３ａ，２３ｂがそれぞれ形成されている。なお、ポケット２１が設けられた部分のうち少なくとも１つの面は透明な基材からなり、それにより、ポケット２１内が外部から視認可能となっている。
【００２５】
名札１０は、基材１３ａ上に所定の間隔及び面積を有する第１の導電領域であるランド部１２ａ，１２が形成され、ランド部１２ａ，１２ｂを跨ぐように、非接触状態にて情報の書き込み及び読み出しが可能なＩＣチップ１１が搭載され、その上に基材１３ｂが積層されて構成されている。
【００２６】
上記のように構成された名札１０をケース２０のポケット２１に収納すると、名札１０に設けられたランド部１２ａ，１２ｂとケース２０に設けられたランド部２３ａ，２３ｂとが、基材１３ａを介してそれぞれ対向するようになる。そのために、ランド部１２ａ，１２ｂとランド部２３ａ，２３ｂは、ケース２０のポケット２１に名札１０が収納された場合に互いに対向するような位置に、ランド部１２ａ，１２ｂにおいては名札１０に、また、ランド部２３ａ，２３ｂにおいてはケース２０にそれぞれ設けられている。
【００２７】
名札１０に設けられたランド部１２ａ，１２ｂとケース２０に設けられたランド部２３ａ，２３ｂとが、基材１３ａを介してそれぞれ対向すると、ランド部１２ａ，１２ｂとランド部２３ａ，２３ｂとをそれぞれ両電極としたコンデンサが形成されることになり、ランド部１２ａ，１２ｂ及びランド部２３ａ，２３ｂの面積と、基材１３ａの材質及び厚さとから決まる静電容量を有して、名札１０に内蔵されたＩＣチップ１１とケース２０に形成されたアンテナ２２とがランド部１２ａ，１２ｂ及びランド部２３ａ，２３ｂを介してそれぞれ結合されることになる。
【００２８】
これにより、ケース２０のポケット２１に名札１０が収納された状態の非接触型情報記録媒体を、外部に設けられた情報書込／読出装置に近接させると、情報書込／読出装置からの電磁誘導によりコイル形状のアンテナ２２に電流が流れ、その電流がアンテナ２２からランド部２３ａ，２３ｂ及びランド部１２ａ，１２ｂを介してＩＣチップ１１に供給され、それにより、非接触状態において、情報書込／読出装置からＩＣチップ１１に情報が書き込まれたり、ＩＣチップ１１に書き込まれた情報が情報書込／読出装置にて読み出されたりすることになる。
【００２９】
以下に、上記のように構成された非接触型情報記録媒体を用いた来場者管理方法について説明する。
【００３０】
まず、イベント等への来場予定者に対して、図１に示したような名札１０を予め送付しておく。ここで、名札１０においては、その表面に来場予定者の氏名等が予め印字されているとともに、内蔵されたＩＣチップ１１には、来場予定者を識別可能な情報が書き込まれている。なお、名札１０の表面に来場予定者の氏名等を印字しておかず、来場予定者が自分で記入することも考えられる。
【００３１】
名札１０を受け取った来場予定者が名札１０を持参してイベント会場に来場すると、イベント会場の受付において、来場者が持参した名札１０が図１に示したケース２０に収納される。
【００３２】
すると、図２に示したように、名札１０に内蔵されたＩＣチップ１１とケース２０に形成されたアンテナ２２とがランド部１２ａ，１２ｂ及びランド部２３ａ，２３ｂを介して結合され、これにより、名札１０に内蔵されたＩＣチップ１１は、ケース２０に形成されたアンテナ２２を介して非接触状態にて情報の書き込み及び読み出しが可能な状態となる。また、ケース２０のポケット２１部分は少なくとも１つの面が透明な基材から構成されているため、ケース２０に収納された名刺１０に記載された来場者の氏名等が外部から視認可能となる。
【００３３】
この状態にて、まず、イベント会場の受付に設けられた情報書込／読出装置に非接触型情報記録媒体を近接させると、ＩＣチップ１１に書き込まれた情報がアンテナ２２を介して読み出され、それにより、ＩＣチップ１１に書き込まれた情報によって識別される来場者がイベント会場に来場したことが認識される。
【００３４】
その後、来場者がイベント会場内に設けられたブースに入室する場合、ブースに設置された情報書込／読出装置に非接触型情報記録媒体を近接させると、ＩＣチップ１１に書き込まれた情報がアンテナ２２を介して読み出され、それにより、ＩＣチップ１１に書き込まれた情報によって識別される来場者がブースに入室したことが認識される。
【００３５】
また、来場者がそのブースから退出する場合に、ブースに設置された情報書込／読出装置に非接触型情報記録媒体を再度近接させると、ＩＣチップ１１に書き込まれた情報がアンテナ２２を介して読み出され、それにより、ＩＣチップ１１に書き込まれた情報によって識別される来場者がブースから退出したことが認識される。
【００３６】
その後、来場者がイベント会場から退場する場合、イベント会場の受付に設けられた情報書込／読出装置に非接触型情報記録媒体を再度近接させると、ＩＣチップ１１に書き込まれた情報がアンテナ２２を介して読み出され、それにより、ＩＣチップ１１に書き込まれた情報によって識別される来場者がイベント会場から退場したことが認識される。
【００３７】
また、その後、イベント会場の受付において、非接触型情報記録媒体の名札１０をケース２０から取り出し、ケース２０のみを回収する。ケース２０には、アンテナ２２が形成されているだけであり、情報が書き込まれているわけではないので、そのまま再利用することが可能となる。
【００３８】
上述したように本形態においては、非接触状態にて情報の書き込み及び読み出しが可能なＩＣチップ１１が名札１０に内蔵され、また、ＩＣチップ１１に対して非接触状態にて情報の書き込み及び読み出しを行うためのアンテナ２２が、名札１０を収納可能なケース２０に形成され、名札１０がケース２０に収納された場合にＩＣチップ１１とアンテナ２２とが電気的に結合されて、アンテナ２２を介してＩＣチップ１１に対して非接触状態にて情報の書き込み及び読み出しが行われることになるので、例えば、イベント等の来場者管理に用いる場合は、来場予定者を識別可能な情報が書き込まれたＩＣチップ１１が内蔵された名札１０のみを来場予定者に送付しておけばよく、それにより、コスト低減を図ることができ、また、イベント会場の受付においては、来場者が持参した名札１０をケース２０に収納することのみで、名札１０に内蔵されたＩＣチップ１１に対する情報の書き込み及び読み出しが可能な状態となり、受付における処理が煩雑になることはなくなる。
【００３９】
また、ＩＣチップ１１及びランド部１２ａ，１２ｂは名札１０の表面に露出していないため、外部からの衝撃や錆からＩＣチップ１１やランド部１２ａ，１２ｂを保護することができる。
【００４０】
また、ケース２０に形成されたアンテナ２２と名札１０に内蔵されたＩＣチップ１１とは、ランド部１２ａ，１２ｂ及びランド部２３ａ，２３ｂを介して非接触状態にて結合されることになるので、アンテナ２２とＩＣチップ１１とを接続するための接点を設ける必要がなく、外力が加わった場合においても、接触不良等が原因となって情報の書き込みあるいは読み出しが不可能となることがなくなる。
【００４１】
なお、本形態においては、コイル状のアンテナ２２の両端に設けられたランド部２３ａ，２３ｂが、ケース２０のポケット２１内の表面に露出するように形成されているが、ランド部２３ａ，２３ｂがケース２０の筐体に内蔵されるように形成されていても構わない。その場合、ケース２０のポケット２１に名札１０を収納すると、名札１０に設けられたランド部１２ａ，１２ｂとケース２０に設けられたランド部２３ａ，２３ｂとが、基材１３ａとケース２０の筐体とを介してそれぞれ対向するようになり、ランド部１２ａ，１２ｂ及びランド部２３ａ，２３ｂの面積と、基材１３ａ及びケース２０の筐体の材質と、ランド部１２ａ，１２ｂとランド部２３ａ，２３ｂとの間の距離とから決まる静電容量を有して、ＩＣチップ１１とアンテナ２２とがランド部１２ａ，１２ｂ及びランド部２３ａ，２３ｂを介して結合されることになる。
【００４２】
【発明の効果】
以上説明したように本発明においては、コイル状のアンテナと、該アンテナを介して非接触状態にて情報の書き込み及び読み出しが可能なＩＣチップとを少なくとも有してなる非接触型情報記録媒体において、互いに所定の間隔を有する２つの第１の導電領域が内部に形成されるとともに、ＩＣチップが２つの第１の導電領域に接続されて内蔵された第１の基材と、アンテナが形成されるとともに、第１の基材が収納可能に構成された収納領域を具備し、第１の基材が収納領域に収納された場合に第１の導電領域と対向する領域に、アンテナの両端に接続された第２の導電領域が形成された第２の基材とを有し、第１の基材が収納領域に収納された場合に、アンテナとＩＣチップとが、少なくとも第１の基材によって所定の静電容量を有して第１の導電領域及び第２の導電領域を介して結合するように構成されているため、例えば、この非接触型情報記録媒体を、イベント等の来場者管理に用いる場合は、来場予定者を識別可能な情報が書き込まれたＩＣチップが内蔵された第１の基材のみを来場予定者に送付しておき、来場者が第１の基材を持参してイベント会場に来場した際に、来場者が持参した第１の基材を第２の基材に収納すれば、アンテナとＩＣチップとが、少なくとも第１の基材によって所定の静電容量を有して第１の導電領域及び第２の導電領域を介して結合されて、アンテナを介してＩＣチップに対して非接触状態にて情報の書き込み及び読み出しが行われることになり、イベント等の来場者管理に用いられる場合に処理を煩雑にすることなく、かつ、コスト低減を図ることができる。
【００４３】
また、第２の基材に形成されたアンテナと第１の基材に内蔵されたＩＣチップとは、第１及び第２の導電領域を介して非接触状態にて結合されることになるので、アンテナとＩＣチップとを接続するための接点を設ける必要がなく、外力が加わった場合においても、接触不良等が原因となって情報の書き込みあるいは読み出しが不可能となることがなくなる。
【００４４】
また、第２の基材に設けられた収納領域の少なくとも一方の面が該収納領域の内部が外部から視認可能なるように構成されたものにおいては、収納領域に第１の基材が収納された場合に第１の基材に記載された情報を外部から視認可能とすることができる。
【図面の簡単な説明】
【図１】
本発明の非接触型情報記録媒体の実施の一形態を示す図であり、（ａ）は外観図、（ｂ）は（ａ）に示したケースの構造を示す図、（ｃ）は（ｂ）に示したＡ−Ａ’断面図、（ｄ）は（ａ）に示した名札の構造を示す図、（ｅ）は（ｄ）に示したＢ−Ｂ’断面図である。
【図２】
図１に示したケースに名札を収納した場合の作用を説明するための図であり（ａ）はケースに名札が収納された場合の内部構造を示す図、（ｂ）は（ａ）に示したＣ−Ｃ’断面図である。
【図３】
従来の非接触型ＩＣカードの構造の一例を示す図であり、（ａ）は内部構造を示す図、（ｂ）は断面図である。
【符号の説明】
１０    名札
１１    ＩＣチップ
１２ａ，１２ｂ，２３ａ，２３ｂ    ランド部
１３ａ，１３ｂ    基材
２０    ケース
２１    ポケット
２２    アンテナ
３０    クリップ
【図１】
2004295770.tif 000003
【図２】
2004295770.tif 000004
【図３】
2004295770.tif 000005